(57)【特許請求の範囲】
【請求項１】
板状の複数の菓子を上下方向に積層状態で収容する空間と上記菓子の取出口と上記積層された板状の菓子を下方に向けて付勢する弾性手段とを備えた筐体と、該筐体の下部に上下動可能に取り付けられ上方に移動したときその上部が上記空間内に突出して上記菓子に接触する回動自在な車輪と、該車輪を下方に付勢する車輪付勢手段と、を有することを特徴とする菓子入り乗物おもちゃ。
【請求項２】
短い箱状の複数の菓子を前方から後方に配列状態で収納する空間と上記菓子の取出口と上記前後に配列された短い箱状の菓子を前方に向けて付勢する弾性手段とを備えた筐体と、該筐体の下部に上下動可能に取り付けられ上方に移動したときその上部が上記空間内に突出して上記菓子に接触する回動自在な車輪と、該車輪を下方に付勢する車輪付勢手段と、を有することを特徴とする菓子入り乗物おもちゃ。
【請求項３】
上記車輪の外側に滑り止めのゴムを有することを特徴とする請求項１または２記載の菓子入り乗物おもちゃ。
【発明の詳細な説明】
【０００１】
【発明が属する技術分野】
本発明は、乗物おもちゃとして使用できるとともに、板ガムやキャンディーなどの菓子を収納し、１つづつ取り出すことができる菓子入り乗物おもちゃに関する。
【０００２】
【従来の技術】
板ガムを数枚重ねて収容し、１枚づつ取り出せるようにした板ガムディスペンサーとしては、特開平８−２８２７４８号に記載のものが知られている。これは、板ガムを積層した状態で収納体内に収容し、この収納体に、最上部に収納されている板ガムを押し出すフック機構を設け、収納体の外部からこのフック機構を操作することによって、板ガムを１枚づつ取り出すことができるようにしたものである。
【０００３】
上記の板ガムディスペンサーを用いると、個々の板ガムがバラバラになることなく整理して収納しておくことができ、必要に応じて１枚づつ取り出すことができる。また、板ガムを収納ケース内に入れておくので、板ガムを折ったり、傷つけたりすることも防止できる。
【０００４】
【発明が解決しようとする課題】
しかしながら、上記の板ガムディスペンサーは、板ガムを収容しておくことにしか利用できないので、おもちゃの好きな幼児には、物足りない感じがする。
【０００５】
本発明は、このような事実から考えられたもので、板ガム等の菓子を収容して板ガム等を一枚づつ確実に取り出すことができるとともに、外装をおもちゃとしても利用することができる菓子入り乗物おもちゃを提供することを目的としている。
【０００６】
【課題を解決するための手段】
上記の目的を達成するために本発明の菓子入り乗物おもちゃは、板状の複数の菓子を上下方向に積層状態で収容する空間と上記菓子の取出口と上記積層された板状の菓子を下方に向けて付勢する弾性手段とを備えた筐体と、該筐体の下部に上下動可能に取り付けられ上方に移動したときその上部が上記空間内に突出して上記菓子に接触する回動自在な車輪と、該車輪を下方に付勢する車輪付勢手段と、を有することを特徴としている。
【０００７】
また、短い箱状の複数の菓子を前方から後方に配列状態で収納する空間と上記菓子の取出口と上記前後に配列された短い箱状の菓子を前方に向けて付勢する弾性手段とを備えた筐体と、該筐体の下部に上下動可能に取り付けられ上方に移動したときその上部が上記空間内に突出して上記菓子に接触する回動自在な車輪と、該車輪を下方に付勢する車輪付勢手段と、を有することを特徴とした菓子入り乗物おもちゃである。
また、上記車輪の外側に滑り止めのゴムを有する構成とすることができる。
【０００８】
【発明の実施の形態】
以下に図面を用いて本発明の実施例を説明する。図１は本発明の菓子入り乗物おもちゃの外観を示す図で、図２は図１のおもちゃの上部を外した正面図で、下部には仮想線で示すように複数枚の板ガムが収容された状態を示す。図３は、図２のＡ−Ａ線の拡大断面図である。
【０００９】
これらの図に示す本発明の実施例の乗物おもちゃは、機関車である。この乗物おもちゃ１０は、機関車の本体となる上側部１１と、機関車の床と車輪を含む下側部１２とで筐体１４を構成している。下側部１２には、長方形断面の筒体１３が立設され、その中の収容空間１３ａ内に仮想線で示すように板ガム１が積層された状態で所定枚数が収納可能となる。筒体１３の前方には板ガム１が１枚だけ通過できる大きさの取出口１３ｂがある。
【００１０】
下側部１２には、３対の車輪１５，１６，１７が、それぞれ回転自在に取り付けられている。これらの車輪のうち、中央と後側の車輪１６，１７の車軸は図の上下方向には動かずに固定されているが、先頭側の車輪１５は、上下方向に移動自在な構造となっている。
【００１１】
図３は、先頭側の車輪１５の取り付け構造を示す拡大断面図である。下側部１２には、床の左右の下側に軸受１２ａ，１２ａがあり、ここに左右の車輪１５を両端に支持する軸１８が支持されている。軸受１２ａは軸１８が図の上下方向に移動できるような長孔を有し、長孔内には、軸１８を図の下方に付勢する車輪付勢手段２０が嵌装されている。この車輪付勢手段２０は、スプリングで、コイルスプリングや板ばねなどを使用することができる。
【００１２】
下側部１２の床には車輪１５の上端部が床上に突出できるような孔１２ｂが穿設されている。したがって、車輪１５を車輪付勢手段２０の付勢力に抗して図３の上方に押し上げると、車輪１５の上部が床から突出し、仮想線１５’に示す位置まで移動し、収容空間１３ａ内の一番下にある板ガム１の下面に接触して若干持ち上げるようになる。車輪１５の一番外側の板ガム１と接触する部分は、摩擦係数が大きくなるようにゴムで形成されている。
【００１３】
図２に示すように、上側部１１は、その天井部に「く」の字形に曲げた板ばねからなる弾性手段２１が下向きに取り付けられている。これは、収容空間１３ａ内に積層された板ガム１を下側部１２の床に向けて押しつけるためのものである。弾性手段２１の形状やばね係数を適当に設定することによって、板ガム１が収容可能限度の枚数まで収納されたときも、たった１枚だけ収容されたときも、板ガム１を適当な圧力で床に押しつけることができる。
【００１４】
次に、この菓子入り乗物おもちゃの使い方を説明する。まず、図２に示すように上側部１１を取り外して、収容空間１３ａ内に板ガム１を１枚づつ数枚重ねて入れる。板ガム１の枚数は、１枚から定数までの範囲であれば何枚でもよい。
【００１５】
板ガム１を入れ終わったら、上側部１１を被せる。上側部１１と下側部１２とは、図示しない係止手段で係止され、簡単には外れない構造である。弾性手段２１は、最上部にある板ガム１の上面に圧接し、板ガム１全体を床に向かって押しつける。
【００１６】
この状態で、乗物おもちゃとして使用するときは、機関車に水平方向の力を加え、たとえば、前方に押してやれば、車輪１５，１６，１７が回転して機関車は前進し、後方に押せば後退する。
【００１７】
板ガム１を取り出したいときは、機関車の前方を下に向けて押し下げる。すると、一番前の車輪１５が、車輪付勢手段２０の弾性力に抗して移動し、床の上に突出して一番下の板ガム１の下面に押しつけられる。この状態で、機関車を前方に動かすと、車輪１５の外側のゴム１５ａで摩擦係数が大きくなっているので、車輪１５の回転に伴って１枚の板ガム１が収容空間１３ａの取出口１３ｂから外に突き出される。
【００１８】
上記の実施例では、乗物として機関車を例示しているが、機関車以外の自動車（乗用車、トラック、バスなど）、飛行機、電車（新幹線、私鉄等）多様な乗物に適用することが可能である。
【００１９】
また、上記の実施例では、菓子として板ガムを例示したが、板状の菓子であれば、板ガムに限定されないことは明白であろう。また、キャラメルのように、板状ではなく、板より厚さが厚く、長さが板ガムの数分の１程度と短い箱状の菓子の場合、弾性手段２１を乗物の後方に設け、列状に配置された菓子を後方から前方に向かって付勢することによって、１個づつ押し出すことが可能である。
【００２０】
【発明の効果】
以上に説明したように、本発明の菓子入り乗物おもちゃは、一定形状をした複数の菓子を配列状態で収納する空間と上記菓子の取出口と上記配列した菓子を一定方向に向けて付勢する弾性手段とを備えた筐体と、該筐体の下部に上下動可能に取り付けられ上方に移動したときその上部が上記空間内に突出して上記菓子に接触する回動自在な車輪と、該車輪を下方に付勢する車輪付勢手段と、を有するので、乗物おもちゃとして使用することができるとともに、収容されている菓子を１個づつ取り出すことが可能で、多面性を持ったおもちゃを幼児に提供することができる。
【００２１】
車輪の外側に滑り止めのゴムを有する構成とすれば、菓子を１個づつ取り出すのが、確実に行える。
【００２２】
上記菓子が板状の菓子で、上記空間内に上下方向に積層状態で収容され、上記弾性手段が積層された板状の菓子を下方に向けて付勢する構成とすれば、板ガムなどの板状の菓子を破損させることなく保存でき、必要に応じて取り出すことができる。
【図面の簡単な説明】
【図１】本発明の菓子入り乗物おもちゃの図で、（ａ）は平面図、（ｂ）は上面図、（ｃ）は正面図である。
【図２】上側部を下側部から外した状態を示す分解平面図である。
【図３】図２のＡ−Ａ線の拡大断面図である。
【符号の説明】
１      菓子
１０    おもちゃ
１１    上側部
１２    下側部
１３ａ  収容空間
１３ｂ  取出口
【図１】
0004220618.tif 000002
【図２】
0004220618.tif 000003
【図３】
0004220618.tif 000004